【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
クラウドベースの画像処理サービスを提供するためのコンピュータにより実行される方法において、
ユーザに関連したクライアント装置で実行されるアプリケーションからの三次元(３Ｄ)医療画像データにアクセスするための要求を、ネットワークを経てクラウドサーバーで受け取り、前記クラウドサーバーは、前記クラウドサーバーによって提供される複数の画像処理ツールを使用して複数のユーザへ画像処理サービスを提供するものであり、
前記３Ｄ医療画像データにアクセスするためのユーザのユーザ特権を決定し、前記ユーザ特権は、前記３Ｄ医療画像データに関連したものであり、前記３Ｄ医療画像データは、医療画像形成装置によって捕獲され、そして前記クラウドサーバーに関連したストレージに記憶されるものであり、
前記ユーザ特権に基づきユーザに利用可能な画像処理ツールのみを表わす１つ以上のアイコンを前記アプリケーションが表示できるようにツール利用性情報を前記クライアント装置へ伝送することを含めて、前記３Ｄ医療画像データを処理するためにユーザに利用可能な前記画像処理ツールを前記ユーザの特権に基づいて制限し、
それぞれのアイコンを介して前記利用可能な画像処理ツールの１つ以上を選択するコマンドを前記クライアント装置のアプリケーションから受け取るのに応答して、前記クラウドサーバーで実行される前記選択された１つ以上の画像処理ツールを使用して前記３Ｄ医療画像データを前記クラウドサーバーで処理して、画像処理結果を発生し、及び
前記画像処理結果を、前記クライアント装置のアプリケーションにより表示すべく前記クライアント装置へ伝送する、
ことを含む方法。
【請求項２】
前記ユーザ特権に基づいて前記３Ｄ医療画像データに関連した識別データの一部分にユーザからアクセスするのを防止することを更に含み、前記３Ｄ医療画像データに関連した識別データの一部分は、前記３Ｄ医療画像データに関連した患者の患者情報を含む、請求項１に記載の方法。
【請求項３】
前記画像処理ツールは、骨除去、中心線抽出、球発見、登録、パラメータマップ計算、再フォーマット、時間・密度分析、構造体の区分化、まっすぐにしたビュー、直径及び長さ測定、カーブド・プレーナ・リフォーメーション（ＣＰＲ）及び軸方向レンダリングの少なくとも１つを含む、請求項１に記載の方法。
【請求項４】
前記３Ｄ医療画像データは、複数のユーザにより、それらユーザに各々関連したユーザ特権に基づく仕方でアクセス可能である、請求項１に記載の方法。
【請求項５】
前記ユーザは、第１ユーザであり、前記ユーザ特権は、その第１ユーザに関連した第１ユーザ特権であり、そして前記３Ｄ医療画像データは、前記第１ユーザ特権に基づき前記第１ユーザにより、及び前記第１ユーザ特権とは異なる第２ユーザ特権に基づき第２ユーザにより、アクセス可能である、請求項４に記載の方法。
【請求項６】
前記３Ｄ医療画像データは、複数のステージを有するワークフロープロセスに関連付けられ、前記第１ユーザは、第１ステージの動作を遂行し、前記第２ユーザは、前記第１ステージの結果に基づいて第２ステージの動作を遂行する、請求項５に記載の方法。
【請求項７】
前記第１特権に基づいて前記第１ユーザの第１クライアントマシンで実行される第１クライアントアプリケーションの第１機能を決定し、及び
前記第１特権に基づいて前記第１クライアントアプリケーションの第１機能の利用性を構成する、
ことを更に含み、前記第１クライアントアプリケーションの第１機能は、前記第１ユーザにより、前記３Ｄ医療画像データを操作するのに使用される、請求項５に記載の方法。
【請求項８】
前記第２特権に基づいて前記第２ユーザの第２クライアントマシンで実行される第２クライアントアプリケーションの第２機能を決定し、及び
前記第２特権に基づいて前記第２クライアントアプリケーションの第２機能の利用性を構成する、
ことを更に含み、前記第２クライアントアプリケーションの第２機能は、前記第２ユーザにより、前記３Ｄ医療画像データを操作するのに使用され、更に、
前記第１クライアントアプリケーションで利用可能な第１機能は、前記第２クライアントアプリケーションで利用可能な第２機能とは異なる、請求項７に記載の方法。
【請求項９】
コンピュータにより実行されたとき、前記コンピュータに、請求項１から８のいずれかに記載の方法を実行させる命令が記憶された非一時的コンピュータ読み取り可能な記憶媒体。
【請求項１０】
プロセッサと、
前記プロセッサに結合されたメモリであって、そのメモリから実行されたときに、前記プロセッサに、請求項１から８のいずれかに記載の方法を実行させる命令を記憶するためのメモリと、
を備えた装置。
【請求項１１】
クラウドベースの画像処理サービスを提供するための装置において、
ユーザに関連したクライアント装置で実行されるアプリケーションからの三次元(３Ｄ)医療画像データにアクセスする要求を、ネットワークを経てクラウドサーバーで受け取るための手段であって、前記クラウドサーバーは、前記クラウドサーバーにより提供される複数の画像処理ツールを使用して複数のユーザへ画像処理サービスを提供するものである手段と、
前記３Ｄ医療画像データにアクセスするためのユーザのユーザ特権を決定する手段であって、前記ユーザ特権は、前記３Ｄ医療画像データに関連したものであり、前記３Ｄ医療画像データは、医療画像形成装置によって捕獲され、そして前記クラウドサーバーに関連したストレージに記憶されるものである手段と、
前記ユーザ特権に基づきユーザに利用可能な画像処理ツールのみを表わす１つ以上のアイコンを前記アプリケーションが表示できるようにツール利用性情報を前記クライアント装置へ伝送することを含めて、前記３Ｄ医療画像データを処理するためにユーザに利用可能な前記画像処理ツールを前記ユーザの特権に基づいて制限する手段と、
それぞれのアイコンを介して前記利用可能な画像処理ツールの１つ以上を選択するコマンドを前記クライアント装置のアプリケーションから受け取るのに応答して、前記クラウドサーバーで実行される前記選択された１つ以上の画像処理ツールを使用して前記３Ｄ医療画像データを前記クラウドサーバーで処理して、画像処理結果を発生するための手段と、
前記画像処理結果を、前記クライアント装置のアプリケーションにより表示すべく前記クライアント装置へ伝送するための手段と、
を備えた装置。
【請求項１２】
１つ以上の医療画像形成装置により捕獲された三次元（３Ｄ）医療画像データを記憶するためのデータストアと、
ネットワークを経てユーザに関連したクライアント装置で実行されるアプリケーションから前記３Ｄ医療画像データにアクセスする要求を受け取るためのインターフェイスと、
複数のユーザへ画像処理サービスを提供するための複数の画像処理ツールと、
前記３Ｄ医療画像データにアクセスするために、前記３Ｄ医療画像データに関連したユーザのユーザ特権を決定し、そして前記ユーザ特権に基づきユーザに利用可能な画像処理ツールのみを表わす１つ以上のアイコンを前記アプリケーションが表示できるようにツール利用性情報を前記クライアント装置へ伝送することを含めて、前記３Ｄ医療画像データを処理するためにユーザに利用可能な前記画像処理ツールを前記ユーザの特権に基づいて制限するためのアクセスコントロールモジュールと、
を備え、それぞれのアイコンを介して前記利用可能な画像処理ツールの１つ以上を選択するコマンドを前記クライアント装置のアプリケーションから受け取るのに応答して、前記クラウドサーバーで実行される前記選択された１つ以上の画像処理ツールを使用して前記３Ｄ医療画像データを処理して、画像処理結果を発生し、そして前記画像処理結果を、前記クライアント装置のアプリケーションにより表示すべく前記クライアント装置へ伝送するようにされた、データ処理システム。